(57)【特許請求の範囲】
【請求項１】
各々のゴルファに最適なウッド型およびアイアン型ゴルフクラブの長さを算出する方法であって、
ゴルフクラブの中心軸方向に所定の距離だけ離れて配列された２つの加速度センサを用いて各々のゴルファのスイングにおけるインパクト直前の回転中心からグリップエンドまでの距離を求めるステップと、
前記各々のゴルファの身長を採取するステップと、
前記各々のゴルファのスイングテンポを計測するステップと、
複数のゴルファについて求められた前記距離と、身長と、スイングテンポとを説明変数に含む第１関数に基づいて、前記各々のゴルファに適した第１のゴルフクラブ長さを算出するステップと、
前記各々のゴルファが普段使用しているゴルフクラブ長さのデータを採取するステップと、
前記各々のゴルファのスイングにおけるトウダウン量を計測するステップと、
複数のゴルファについて求められた前記距離と、普段使用しているゴルフクラブ長さと、スイングにおけるトウダウン量とを説明変数に含む第２関数に基づいて、前記各々のゴルファに適した第２のゴルフクラブ長さを算出するステップと、
前記第１のゴルフクラブ長さおよび前記第２のゴルフクラブ長さに基づいて、前記各々のゴルファに最適なゴルフクラブ長さを算出するステップとを備え、
前記第１関数は、
複数のゴルファについて、前記距離と、身長と、スイングテンポと、自身に最適なゴルフクラブとして選択したゴルフクラブの長さとをそれぞれ求め、前記距離と、前記身長と、前記スイングテンポとを説明変数とし、前記複数のゴルファが自身に最適なゴルフクラブとして選択したゴルフクラブの長さを目的変数とする回帰分析により得られた回帰式からなり、
前記第２関数は、
複数のゴルファについて、前記距離と、普段使用しているゴルフクラブ長さと、スイングにおけるトウダウン量と、クラブ長の変化と飛距離の変化との関係を示す係数とをそれぞれ求め、前記距離と、前記普段使用しているゴルフクラブ長さと、前記トウダウン量とを説明変数とし、前記係数を目的変数とする回帰分析により得られた回帰式からなる、方法。
【請求項２】
各々のゴルファに最適なウッド型およびアイアン型ゴルフクラブの長さを算出する方法であって、
ゴルフクラブの中心軸方向に所定の距離だけ離れて配列された２つの加速度センサを用いて各々のゴルファのスイングにおけるインパクト直前の回転中心からグリップエンドまでの距離を求めるステップと、
前記各々のゴルファの身長を採取するステップと、
前記各々のゴルファのスイングテンポを計測するステップと、
複数のゴルファについて求められた前記距離と、身長と、スイングテンポとを説明変数に含む所定の関数に基づいて、前記各々のゴルファに最適なゴルフクラブ長さを算出するステップとを備え、
前記所定の関数は、
複数のゴルファについて、前記距離と、身長と、スイングテンポと、自身に最適なゴルフクラブとして選択したゴルフクラブの長さとをそれぞれ求め、前記距離と、前記身長と、前記スイングテンポとを説明変数とし、前記複数のゴルファが自身に最適なゴルフクラブとして選択したゴルフクラブの長さを目的変数とする回帰分析により得られた回帰式からなる、方法。
【請求項３】
各々のゴルファに最適なウッド型およびアイアン型ゴルフクラブの長さを算出する方法であって、
ゴルフクラブの中心軸方向に所定の距離だけ離れて配列された２つの加速度センサを用いて各々のゴルファのスイングにおけるインパクト直前の回転中心からグリップエンドまでの距離を求めるステップと、
前記各々のゴルファが普段使用しているゴルフクラブ長さのデータを採取するステップと、
前記各々のゴルファのスイングにおけるトウダウン量を計測するステップと、
複数のゴルファについて求められた前記距離と、普段使用しているゴルフクラブ長さと、スイングにおけるトウダウン量とを説明変数に含む所定の関数に基づいて、前記各々のゴルファに最適なゴルフクラブ長さを算出するステップとを備え、
前記所定の関数は、
複数のゴルファについて、前記距離と、普段使用しているゴルフクラブ長さと、スイングにおけるトウダウン量と、クラブ長の変化と飛距離の変化との関係を示す係数とをそれぞれ求め、前記距離と、前記普段使用しているゴルフクラブ長さと、前記トウダウン量とを説明変数とし、前記係数を目的変数とする回帰分析により得られた回帰式からなる、方法。
【請求項４】
各々のゴルファのスイングにおけるインパクト直前のヘッドスピードを測定するステップをさらに備え、
前記各々のゴルファについて求められたヘッドスピードに基づいて、前記各々のゴルファに最適なゴルフクラブ長さを補正する、請求項１から請求項３のいずれかに記載の方法。
【請求項５】
各々のゴルファの複数回のスイングにおけるインパクト直前の回転中心からグリップエンドまでの距離の標準偏差に基づいて、前記各々のゴルファに最適なゴルフクラブ長さを補正する、請求項１から請求項３のいずれかに記載の方法。
【請求項６】
各々のゴルファのスイングにおけるインパクト直前のヘッドスピードを測定するステップをさらに備え、
前記各々のゴルファについて求められたヘッドスピードと、各々のゴルファの複数回のスイングにおけるインパクト直前の回転中心からグリップエンドまでの距離の標準偏差とに基づいて、前記各々のゴルファに最適なゴルフクラブ長さを補正する、請求項１から請求項３のいずれかに記載の方法。
【請求項７】
各々のゴルファに最適なウッド型およびアイアン型ゴルフクラブの長さを算出するためのシステムであって、
各々のゴルファのスイングにおけるインパクト直前の回転中心からグリップエンドまでの距離と、前記各々のゴルファのスイングテンポと、前記各々のゴルファのスイングにおけるトウダウン量とを算出可能なセンサ装置と、
前記各々のゴルファの身長および前記各々のゴルファが普段使用しているゴルフクラブ長さのデータを入力する入力装置と、
複数のゴルファによる自身に最適なゴルフクラブの選択結果から構築され、前記複数のゴルファについて求められた前記距離と、身長と、スイングテンポとを説明変数に含む第１関数、および、前記複数のゴルファによる実打試験結果から構築され、前記複数のゴルファについて求められた前記距離と、普段使用しているゴルフクラブ長さと、スイングにおけるトウダウン量とを説明変数に含む第２関数を記憶する記憶装置と、
前記センサ装置により求められた前記距離および前記スイングテンポと、前記入力装置に入力された前記身長と、前記記憶装置に記憶された前記第１関数とに基づいて、前記各々のゴルファに適した第１のゴルフクラブ長さを算出するとともに、前記センサ装置により求められた前記距離および前記トウダウン量と、前記入力装置に入力された前記ゴルフクラブ長さと、前記記憶装置に記憶された前記第２関数とに基づいて、前記各々のゴルファに適した第２のゴルフクラブ長さを求め、前記第１のゴルフクラブ長さおよび前記第２のゴルフクラブ長さに基づいて、前記各々のゴルファに最適なゴルフクラブ長さを算出する処理装置と、
前記処理装置により求められた結果を出力する出力装置とを備え、
前記第１関数は、
複数のゴルファについて、前記距離と、身長と、スイングテンポと、自身に最適なゴルフクラブとして選択したゴルフクラブの長さとをそれぞれ求め、前記距離と、前記身長と、前記スイングテンポとを説明変数とし、前記複数のゴルファが自身に最適なゴルフクラブとして選択したゴルフクラブの長さを目的変数とする回帰分析により得られた回帰式からなり、
前記第２関数は、
複数のゴルファについて、前記距離と、普段使用しているゴルフクラブ長さと、スイングにおけるトウダウン量と、クラブ長の変化と飛距離の変化との関係を示す係数とをそれぞれ求め、前記距離と、前記普段使用しているゴルフクラブ長さと、前記トウダウン量とを説明変数とし、前記係数を目的変数とする回帰分析により得られた回帰式からなる、システム。
【請求項８】
各々のゴルファに最適なウッド型およびアイアン型ゴルフクラブの長さを算出するためのシステムであって、
各々のゴルファのスイングにおけるインパクト直前の回転中心からグリップエンドまでの距離と、前記各々のゴルファのスイングテンポとを算出可能なセンサ装置と、
少なくとも前記各々のゴルファの身長が入力される入力装置と、
複数のゴルファによる自身に最適なゴルフクラブの選択結果から構築され、前記複数のゴルファについて求められた前記距離と、身長と、スイングテンポとを説明変数に含む所定の関数を記憶する記憶装置と、
前記センサ装置により求められた前記距離および前記スイングテンポと、前記入力装置に入力された前記身長と、前記記憶装置に記憶された前記所定の関数とに基づいて、前記各々のゴルファに最適なウッド型およびアイアン型ゴルフクラブ長さを算出する処理装置と、
前記処理装置により求められた結果を出力する出力装置とを備え、
前記所定の関数は、
複数のゴルファについて、前記距離と、身長と、スイングテンポと、自身に最適なゴルフクラブとして選択したゴルフクラブの長さとをそれぞれ求め、前記距離と、前記身長と、前記スイングテンポとを説明変数とし、前記複数のゴルファが自身に最適なゴルフクラブとして選択したゴルフクラブの長さを目的変数とする回帰分析により得られた回帰式からなる、システム。
【請求項９】
各々のゴルファに最適なウッド型およびアイアン型ゴルフクラブの長さを算出するためのシステムであって、
各々のゴルファのスイングにおけるインパクト直前の回転中心からグリップエンドまでの距離と、前記各々のゴルファのスイングにおけるトウダウン量とを算出可能なセンサ装置と、
少なくとも前記各々のゴルファが普段使用しているゴルフクラブ長さのデータが入力される入力装置と、
複数のゴルファによる実打試験結果から構築され、前記複数のゴルファについて求められた前記距離と、普段使用しているゴルフクラブ長さと、スイングにおけるトウダウン量とを説明変数に含む所定の関数を記憶する記憶装置と、
前記センサ装置により求められた前記距離および前記トウダウン量と、前記入力装置に入力された前記ゴルフクラブ長さと、前記記憶装置に記憶された前記所定の関数とに基づいて、前記各々のゴルファに最適なウッド型およびアイアン型ゴルフクラブ長さを算出する処理装置と、
前記処理装置により求められた結果を出力する出力装置とを備え、
前記所定の関数は、
複数のゴルファについて、前記距離と、普段使用しているゴルフクラブ長さと、スイングにおけるトウダウン量と、クラブ長の変化と飛距離の変化との関係を示す係数とをそれぞれ求め、前記距離と、前記普段使用しているゴルフクラブ長さと、前記トウダウン量とを説明変数とし、前記係数を目的変数とする回帰分析により得られた回帰式からなる、システム。
【請求項１０】
前記センサ装置は、各々のゴルファのスイングにおけるインパクト直前のヘッドスピードを測定可能であり、
前記処理装置は、前記各々のゴルファについて求められたヘッドスピードに基づいて、前記各々のゴルファに最適なゴルフクラブ長さを補正する、請求項７から請求項９のいずれかに記載のシステム。
【請求項１１】
前記処理装置は、各々のゴルファの複数回のスイングにおけるインパクト直前の回転中心からグリップエンドまでの距離の標準偏差に基づいて、前記各々のゴルファに最適なゴルフクラブ長さを補正する、請求項７から請求項９のいずれかに記載のシステム。
【請求項１２】
前記センサ装置は、各々のゴルファのスイングにおけるインパクト直前のヘッドスピードを測定可能であり、
前記処理装置は、前記各々のゴルファについて求められたヘッドスピードと、各々のゴルファの複数回のスイングにおけるインパクト直前の回転中心からグリップエンドまでの距離の標準偏差とに基づいて、前記各々のゴルファに最適なゴルフクラブ長さを補正する、請求項７から請求項９のいずれかに記載のシステム。
【発明の詳細な説明】
【技術分野】
【０００１】
本発明は、ゴルファに最適なウッド型およびアイアン型ゴルフクラブの長さを算出する方法およびシステムに関する。
【背景技術】
【０００２】
各々のゴルファにとってスイングのしやすい、飛距離の出やすいゴルフクラブ、すなわち、各々のゴルファに適したゴルフクラブを選定する方法は、従来から種々提案されている。また、スイングしやすいゴルフクラブを提供するための構造についても、従来から提案がなされている。
【０００３】
たとえば、特開２０１１−２３５０２４号公報（特許文献１）では、グリップの上端からゴルフクラブの重心までの距離を調整するために、グリップ部付近に錘を設けることが示されている。
【０００４】
また、各々のゴルファのスイングを分析するための装置についても、従来から知られている。このような分析装置は、たとえば、特開２００９−２４０６７７号公報（特許文献２）に記載されている。
【先行技術文献】
【特許文献】
【０００５】
【特許文献１】特開２０１１−２３５０２４号公報
【特許文献２】特開２００９−２４０６７７号公報
【発明の概要】
【発明が解決しようとする課題】
【０００６】
ゴルフクラブには、種々の長さのものが存在する。特許文献１には、ゴルフクラブを長尺にした場合にヘッドスピードを速くするための構造が示されている。
【０００７】
しかしながら、各々のゴルファにとって、長尺のゴルフクラブが常に最適であるとは限らない。スイングの特性や、身体的特徴に応じて、最適なゴルフクラブ長さを選定することが必要である。各々のゴルファにとっての最適長さを選定する方法については、これまでに十分に検討されているとは言い難い状況である。
【０００８】
本願発明者が鋭意検討したところ、各々のゴルファのスイングにおけるインパクト直前の回転中心の位置（当該中心からグリップエンドまでの距離）と、各々のゴルファに最適なゴルフクラブ長さとの間に、高い相関関係が成立することが判明した。
【０００９】
本発明の目的は、各々のゴルファに最適なゴルフクラブの長さを算出する方法およびシステムを提供することにある。
【課題を解決するための手段】
【００１０】
本発明は、各々のゴルファに最適なウッド型およびアイアン型ゴルフクラブの長さを算出する方法またはシステムに係るものである。
【００１１】
上記方法は、ゴルフクラブの中心軸方向に所定の距離だけ離れて配列された２つの加速度センサを用いて各々のゴルファのスイングにおけるインパクト直前の回転中心からグリップエンドまでの距離を求めるステップと、複数のゴルファについて求められた上記の距離を説明変数に含む所定の関数に基づいて、各々のゴルファに最適なウッド型およびアイアン型ゴルフクラブ長さを算出するステップとを備える。
【００１２】
上記システムは、各々のゴルファのスイングにおけるインパクト直前の回転中心からグリップエンドまでの距離を算出可能なセンサ装置と、複数のゴルファによる自身に最適なゴルフクラブの選択結果から構築され、複数のゴルファについて求められた上記の距離を説明変数に含む所定の関数を記憶する記憶装置と、センサ装置により求められた距離と、記憶装置に記憶された所定の関数とに基づいて、各々のゴルファに最適なウッド型およびアイアン型ゴルフクラブ長さを算出する処理装置と、処理装置により求められた結果を出力する出力装置とを備える。
【００１３】
なお、本明細書において、「インパクト直前」とは、インパクトと同時またはインパクト時刻から所定の時間（たとえば1/100秒程度）だけ前の時点を意味する。
【００１４】
本発明に係る方法において、上記「所定の関数」は、各々のゴルファについて求められた距離を含む複数種のデータを説明変数に含むものであることが好ましい。
【００１５】
第１の実施態様に係る上記方法は、各々のゴルファの身長を採取するステップと、各々のゴルファのスイングテンポを計測するステップとをさらに備える。この場合、複数のゴルファについて求められた上記の距離と、身長と、スイングテンポとを説明変数に含む所定の関数に基づいて、各々のゴルファに最適なゴルフクラブ長さを算出する。
【００１６】
第１の実施態様に係る上記システムにおいて、センサ装置は、各々のゴルファのスイングにおけるインパクト直前の回転中心からグリップエンドまでの距離に加えて、各々のゴルファのスイングテンポを算出可能である。また、当該システムは、少なくとも各々のゴルファの身長が入力される入力装置をさらに備える。当該システムにおいて、記憶装置は、複数のゴルファによる自身に最適なゴルフクラブの選択結果から構築され、複数のゴルファについて求められた上記の距離と、身長と、スイングテンポとを説明変数に含む所定の関数を記憶する。また、処理装置は、センサ装置により求められた上記の距離およびスイングテンポと、入力装置に入力された身長と、記憶装置に記憶された所定の関数とに基づいて、各々のゴルファに最適なウッド型およびアイアン型ゴルフクラブ長さを算出する。
【００１７】
第１の実施態様において、上記「所定の関数」は、複数のゴルファについて、上記の距離と、身長と、スイングテンポと、自身に最適なゴルフクラブとして選択したゴルフクラブの長さとをそれぞれ求め、上記の距離と、身長と、スイングテンポとを説明変数とし、複数のゴルファが自身に最適なゴルフクラブとして選択したゴルフクラブの長さを目的変数とする回帰分析により得られた回帰式からなる。
【００１８】
第２の実施態様に係る上記方法は、各々のゴルファが普段使用しているゴルフクラブ長さのデータを採取するステップと、各々のゴルファのスイングにおけるトウダウン量を計測するステップとをさらに備える。この場合、複数のゴルファについて求められた上記の距離と、普段使用しているゴルフクラブ長さと、スイングにおけるトウダウン量とを説明変数に含む所定の関数に基づいて、各々のゴルファに最適なゴルフクラブ長さを算出する。
【００１９】
第２の実施態様に係る上記システムにおいて、センサ装置は、各々のゴルファのスイングにおけるインパクト直前の回転中心からグリップエンドまでの距離に加えて、各々のゴルファのスイングにおけるトウダウン量を算出可能である。また、当該システムは、少なくとも各々のゴルファが普段使用しているゴルフクラブ長さのデータが入力される入力装置をさらに備える。当該システムにおいて、記憶装置は、複数のゴルファによる実打試験結果から構築され、複数のゴルファについて求められた上記の距離と、普段使用しているゴルフクラブ長さと、スイングにおけるトウダウン量とを説明変数に含む所定の関数を記憶する。また、処理装置は、センサ装置により求められた上記の距離およびトウダウン量と、入力装置に入力されたゴルフクラブ長さと、記憶装置に記憶された所定の関数とに基づいて、各々のゴルファに最適なウッド型およびアイアン型ゴルフクラブ長さを算出する。
【００２０】
第２の実施態様において、上記「所定の関数」は、複数のゴルファについて、上記の距離と、普段使用しているゴルフクラブ長さと、スイングにおけるトウダウン量と、クラブ長の変化と飛距離の変化との関係を示す係数とをそれぞれ求め、上記の距離と、普段から使用しているゴルフクラブ長さと、上記のトウダウン量とを説明変数とし、上記の係数を目的変数とする回帰分析により得られた回帰式からなる。
【００２１】
第３の実施態様は、上述した第１の実施態様および第２の実施態様を組み合わせたものである。
【００２２】
すなわち、第３の実施態様に係る上記方法およびシステムにおいては、複数のゴルファについて求められた上記の距離と、身長と、スイングテンポとを説明変数に含む第１関数に基づいて、各々のゴルファに適した第１のゴルフクラブ長さを算出するとともに、複数のゴルファについて求められた上記の距離と、普段使用しているゴルフクラブ長さと、スイングにおけるトウダウン量とを説明変数に含む第２関数に基づいて、各々のゴルファに適した第２のゴルフクラブ長さを求め、第１のゴルフクラブ長さおよび第２のゴルフクラブ長さに基づいて、各々のゴルファに最適なゴルフクラブ長さを算出する。
【００２３】
上述の方法およびシステムにおいて、各々のゴルファのスイングにおけるインパクト直前のヘッドスピードを測定し、各々のゴルファについて求められたヘッドスピードに基づいて、各々のゴルファに最適なゴルフクラブ長さを補正してもよい。
【００２４】
また、各々のゴルファの複数回のスイングにおけるインパクト直前の回転中心からグリップエンドまでの距離の標準偏差に基づいて、各々のゴルファに最適なゴルフクラブ長さを補正してもよい。
【００２５】
さらに、各々のゴルファのスイングにおけるインパクト直前のヘッドスピードを測定し、各々のゴルファについて求められたヘッドスピードと、各々のゴルファの複数回のスイングにおけるインパクト直前の回転中心からグリップエンドまでの距離の標準偏差とに基づいて、各々のゴルファに最適なゴルフクラブ長さを補正してもよい。
【発明の効果】
【００２６】
本発明によれば、複数のゴルファのスイングにおけるインパクト直前の回転中心からグリップエンドまでの距離を説明変数に含む所定の関数に基づいて、各々のゴルファに最適なウッド型およびアイアン型ゴルフクラブ長さを算出することができる。
【図面の簡単な説明】
【００２７】
【図１】本発明の１つの実施の形態に係る最適ゴルフクラブ長さを算出する方法を示すフロー図である。
【図２】本発明の１つの実施の形態に係る最適ゴルフクラブ長さを算出するシステムの全体構成を示す図である。
【図３】図２に示すセンサ装置をゴルフクラブに取り付けた状態の正面図である。
【図４】図２に示すセンサ装置の斜視図である。
【図５】図２に示すセンサ装置の斜視図である。
【図６】図２に示すセンサ装置の断面図である。
【図７】図２に示すセンサ装置内部の分解斜視図である。
【図８】図７に示す基板の側面図である。
【図９】図７，図８に示す処理部の構成を模式的に示す模式図である。
【図１０】図２〜図７に示すセンサ装置を用いてヘッド速度を検出するときのフロー図である。
【図１１】複数名（Ａ〜Ｑの１７名）のゴルファについて、スイングにおけるインパクト直前の回転中心からグリップエンドまでの距離を求めた結果を示す図である。
【図１２】複数名（Ａ〜Ｑの１７名）のゴルファについて、官能評価結果に基づく回帰分析により求めた重回帰式によって算出された推奨ゴルフクラブ長さを示す図である。
【図１３】複数名（Ａ〜Ｑの１７名）のゴルファについて、実打試験結果に基づく回帰分析により求めた重回帰式によって算出された推奨ゴルフクラブ長さを示す図である。
【図１４】複数名（Ａ〜Ｑの１７名）のゴルファについて、官能評価結果に基づく回帰分析により求めた重回帰式によって算出された推奨ゴルフクラブ長さと、実打試験結果に基づく回帰分析により求めた重回帰式によって算出された推奨ゴルフクラブ長さと、両者の平均とを示す図である。
【図１５】図１４に示す推奨ゴルフクラブ長さ（「官能評価」と「実打試験」との平均）と、各ゴルファのヘッドスピードにより補正された推奨ゴルフクラブ長さとを示す図である。
【図１６】図１４に示す推奨ゴルフクラブ長さ（「官能評価」と「実打試験」との平均）と、各ゴルファの複数回のスイングにおけるインパクト直前の回転中心からグリップエンドまでの距離の標準偏差により補正された推奨ゴルフクラブ長さとを示す図である。
【図１７】図１４に示す推奨ゴルフクラブ長さ（「官能評価」と「実打試験」との平均）と、各ゴルファのヘッドスピードと、各ゴルファの複数回のスイングにおけるインパクト直前の回転中心からグリップエンドまでの距離の標準偏差とにより補正された推奨ゴルフクラブ長さとを示す図である。
【図１８】官能評価結果に基づく回帰分析により求めた重回帰式の妥当性を説明するための図である。
【図１９】実打試験結果に基づく回帰分析により求めた重回帰式の妥当性を説明するための図である。
【図２０】各々のゴルファのスイングにおけるインパクト直前の回転中心からグリップエンドまでの距離と、長尺ゴルフクラブを使用したときの飛距離の伸びとの関係を示す図である。
【発明を実施するための形態】
【００２８】
以下に、本発明の実施の形態について説明する。なお、同一または相当する部分に同一の参照符号を付し、その説明を繰返さない場合がある。
【００２９】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。
【００３０】
（全体構成）
図１は、本実施の形態に係る最適ゴルフクラブ長さを算出する方法を示すフロー図である。図１に示すように、本実施の形態に係るゴルフクラブ選定方法は、各々のゴルファに関する各種データを収集するステップ１００（以下、「Ｓ１００」と略す。他のステップについても同様。）と、所定の関数（ルール）に基づいて、各々のゴルファに最適なゴルフクラブ長さを算出するＳ２００とを含む。
【００３１】
各種データを収集するＳ１００は、各々のゴルファのスイングにおけるインパクト直前（インパクトの1/100秒前）の回転中心からグリップエンドまでの距離を求めるＳ１１０と、各々のゴルファのスイングテンポを計測するＳ１２０と、各々のゴルファのスイングにおけるトウダウン量を計測するＳ１３０と、各々のゴルファの身長を採取するＳ１４０と、各々のゴルファが普段使用しているゴルフクラブ長さのデータを採取するＳ１５０とを含む。典型的な例では、Ｓ１１０，Ｓ１２０，Ｓ１３０は、同じセンサ装置を用いて同時に行なわれるが、これらを別々に行なってもよい。
【００３２】
各々のゴルファに最適なゴルフクラブ長さを算出するＳ２００は、複数のゴルファについてＳ１１０で求めた距離と、同じく複数のゴルファについてＳ１２０で計測されたスイングテンポと、同じく複数のゴルファについてＳ１４０で採取された身長とを説明変数に含む所定の式（第１関数）に基づいて、各々のゴルファに適したゴルフクラブ長さ（第１のゴルフクラブ長さ）を算出するＳ２１０と、複数のゴルファについてＳ１１０で求めた距離と、同じく複数のゴルファについてＳ１３０で計測されたトウダウン量と、同じく複数のゴルファについてＳ１５０で採取された普段使用しているゴルフクラブ長さとを説明変数に含む所定の式（第２関数）に基づいて、各々のゴルファに適したゴルフクラブ長さ（第２のゴルフクラブ長さ）を算出するＳ２２０と、Ｓ２１０およびＳ２２０で各々求められたゴルフクラブ長さに基づいて、各々のゴルファに最適なゴルフクラブ長さを算出するＳ２３０とを含む。
【００３３】
たとえば、Ｓ２１０のみを行なってＳ２２０，Ｓ２３０を省略しても、各々のゴルファに適したゴルフクラブ長さを選定することは可能である。同様に、Ｓ２２０のみを行なってＳ２１０，Ｓ２３０を省略しても、各々のゴルファに適したゴルフクラブ長さを選定することは可能である。
【００３４】
Ｓ２１０を省略した場合は、Ｓ１２０，Ｓ１４０を省略することが可能である。また、Ｓ２２０を省略した場合には、Ｓ１３０，Ｓ１５０を省略することが可能である。
【００３５】
図２は、上記選定方法のために用いるシステムの全体構成を示す図である。図２に示すように、上記選定方法のために用いるシステムは、ゴルフクラブシャフトに取り付けられ、ゴルファのスイング特性に関する各種データを採取するためのセンサ装置１００を含む。
【００３６】
上記システムは、さらに、入力装置１と、記憶装置２と、処理装置３と、出力装置４とを含む。
【００３７】
入力装置１は、たとえば、タッチパネルやキーボードなどからなる装置である。入力装置１には、Ｓ１４０，Ｓ１５０で採取されたゴルファの身長およびゴルファが普段使用しているゴルフクラブ長さが入力される。
【００３８】
記憶装置２は、たとえばハードディスクなどからなる。記憶装置２は、各々のゴルファに適したゴルフクラブ長さを算出するための所定のルール（関数）を記憶する。
【００３９】
入力装置１および記憶装置２は、処理装置３に接続されている。センサ装置１００により採取された情報および入力装置１に入力された情報は、電子形式で処理装置３に伝送される。
【００４０】
処理装置３は、たとえばＣＰＵなどからなり、伝送されてきた情報を電子的に処理する。処理装置３は、センサ装置１００により採取された情報および入力装置１に入力された情報と、記憶装置２に記憶された所定のルールとに基づいて、各々のゴルファに適したゴルフクラブ長さを算出する。
【００４１】
出力装置４は、たとえば表示モニタなどからなる。出力装置４は、処理装置３により求められた結果を出力する。
【００４２】
なお、本発明は、図２に示すシステムに限定されるものではない。たとえば、センサ装置１００により採取されたデータを入力装置１から入力するようにしてもよい。
【００４３】
（センサ装置の構成）
次に、センサ装置１００について説明する。図３は、ゴルフクラブ２００に装着されたセンサ装置１００の正面図である。図１に示すように、ゴルフクラブ２００は、ゴルファが把持するグリップ２０１と、ボールを打球するヘッド２０３と、グリップ２０１とヘッド２０３とを接続するシャフト２０２とを含む。
【００４４】
センサ装置１００は、ゴルフクラブ２００（グリップ２０１）の上端部から約１２インチ（約３０４ｍｍ）〜１５インチ（３８１ｍｍ）に位置する部分にセンサ装置１００の重心が位置するようにシャフト２０２に装着されている。このような位置に測定センサ装置１００が装着されることで、センサ装置１００が装着される前後において、ゴルフクラブ２００の特性が大きく変化することを抑制することができる。
【００４５】
図４および図５は、センサ装置１００の斜視図である。図４および図５に示すように、センサ装置１００は、内部に加速度センサ等を収容するケース１１０と、ヘッド速度等を表示する表示部１１１と、電源スイッチ１１２と、リセットボタン１１３とを有する。ケース１１０は、上部ケーシング１１４および下部ケーシング１１５とを含む。上部ケーシング１１４および下部ケーシング１１５によって、ゴルフクラブ２００のシャフト２０２が挿入される挿入孔１１６および挿入孔１１７が規定されている。
【００４６】
挿入孔１１６および挿入孔１１７の内径は、シャフト２０２の外径よりも大きくなるように形成されており、スイング時にシャフト２０２が撓ったとしても、シャフト２０２が挿入孔１１６および挿入孔１１７の内周面と接触することが抑制されている。
【００４７】
図６は、センサ装置１００の断面図であり、図７は、センサ装置１００内部の分解斜視図である。図６および図７に示すように、センサ装置１００は、シャフト２０２の表面上に装着されている。センサ装置１００は、シャフト２０２の周面上に設けられ、たとえば、ポリエステル等の弾性変形可能な緩衝部材１１８と、バンド１１９によって緩衝部材１１８を介してシャフト２０２に固定された基板支持部１２０と、この基板支持部１２０の上面上にボルトによって固定された基板１２１とを含む。
【００４８】
基板支持部１２０は、シャフト２０２の外表面形状に沿って湾曲し、シャフト２０２および緩衝部材１１８を受け入れ可能な湾曲部１２０Ａと、湾曲部１２０Ａの側辺部に連設された平坦部１２０Ｂとを備えている。平坦部１２０Ｂ上に、基板１２１が固定されている。そして、平坦部１２０Ｂの側辺部は、上部ケーシング１１４と下部ケーシング１１５とによって挟持されており、上部ケーシング１１４と下部ケーシング１１５とは、ボルトによって互いに固定されている。
【００４９】
図８は、基板１２５の側面図である。図８および前述の図６，図７に示すように、センサ装置１００は、基板１２１の主表面１２１Ａ上に、半田等によって装着された加速度センサ１２２，１２３と、基板１２１の主表面１２１Ｂ上に装着され、各種データ演算処理を行う処理部１２４と、シャフト２０２の表面に位置する歪センサ１２５，１２６とをさらに含む。
【００５０】
歪センサ１２５は、シャフト２０２の周面のうち、飛球方向に面する側面上に配置され、歪センサ１２６は、飛球方向と直交する方向に面する側面上に貼付されている。
【００５１】
加速度センサ１２２，１２３は、各装着位置におけるシャフト２０２の加速度を正確に測定することができる。加速度センサ１２２，１２３は、シャフト２０２の中心軸線Ｐ方向の加速度を測定可能である。
【００５２】
（ヘッド速度の測定）
次に、センサ装置１００による、インパクト直前におけるヘッド２０３のフェース面の幾何学的な中心点Ｒの速度の検知方法について説明する。なお、フェース面の幾何学的な中心点Ｒは、加速度センサ１２２，１２３に対して中心軸線Ｐ方向に間隔を隔てた位置に位置している。
【００５３】
ここで、再び図３を参照して、ゴルファがゴルフクラブ２００をスイングしたとき、時々刻々において、ゴルフクラブ２００は、中心軸線Ｐ上に位置する仮想回転中心Ｏを中心として等速円運動しているものと仮定する。
【００５４】
ここで、ヘッド２０３とボールとのインパクト時刻を検出し、インパクト直前においても、ゴルフクラブ２００が仮想回転中心Ｏを中心として等速円運動しているものと仮定して、インパクト直前における加速度センサ１２２，１２３が検出する角加速度から、ヘッド２０３の中心点Ｒの仮想速度を算出する。
【００５５】
ここで、中心点Ｒの仮想速度と、ハイスピードカメラ撮影によって測定したヘッド２０３の実測速度との相関関係を算出しておき、仮想速度を実測速度に一致または近似させるための補正関数を予め算出しておく。そして、計測対称のゴルファがスイングしたときに、上記仮想速度を、予め求めた補正関数で補正する。これにより、実測速度に近似されたヘッド速度を算出する。
【００５６】
上記仮想速度の算出方法について、さらに具体的に説明する。図３において、加速度センサ１２２と加速度センサ１２３とは、中心軸線Ｐ方向に配列されており、互いに、中心軸線Ｐ方向にセンサ間距離ｒ３だけ離れている。加速度センサ１２２は、仮想回転中心Ｏから中心軸線Ｐ方向に中心線距離ｒ２だけ離れた位置に装着されている。また、加速度センサ１２３は、仮想回転中心Ｏから中心線距離ｒ１だけ離れた位置に装着されている。そして、ヘッド２０３のフェースの中心点Ｒと、加速度センサ１２２とは、中心軸線Ｐ方向に中心線距離Ｌだけ離れている。
【００５７】
各々のゴルファがゴルフクラブ２００をスイングしたときのインパクト直前におけるゴルフクラブ２００の回転角速度をωとする。加速度センサ１２２が検出した加速度をα２とし、加速度センサ１２３が検出した加速度をα１とすると、下記の数１、数２の式が成立する。さらに、中心点Ｒにおける仮想速度Ｖｈは、下記数３によって示すことができ
る。
【００５８】
【数１】
0005451815.tif 000002
【００５９】
【数２】
0005451815.tif 000003
【００６０】
【数３】
0005451815.tif 000004
【００６１】
そして、上記数１、数２および数３からω、ｒ１およびｒ２の項を消去することで、仮想速度Ｖｈは、下記数４によって表すことができる。
【００６２】
【数４】
0005451815.tif 000005
【００６３】
ここで、中心線距離Ｌおよびセンサ間距離ｒ３は、センサ装置１００によって決定されるものであり、既知の値である。α１およびα２は、各加速度センサ１２２および加速度センサ１２１によって測定することができる。
【００６４】
したがって、加速度センサ１２２および加速度センサ１２１の出力値によって、仮想速度Ｖｈを算出することができる。
【００６５】
図９は、処理部１２４の構成を模式的に示す模式図である。図９に示すように、処理部１２４は、加速度センサ１２２からの出力電圧をアナログ−デジタル変換する変換器１２４Ａと、加速度センサ１２３からの出力電圧をアナログ−デジタル変換する変換器１２４Ｂと、変換器１２４Ａ，１２４Ｂから出力される電圧に基づいて、シャフト２０２のうち、加速度センサ１２２，１２３が装着された部分の加速度を算出する演算部１２４Ｃと、歪センサ１２５，１２６が装着された部分の歪み量を算出する演算部１２４Ｄと、演算部１２４Ｃ，１２４Ｄからの出力データを記憶するメモリ１２４Ｅとを備えている。
【００６６】
図９に示すように、歪センサ１２５，１２６からの出力電圧は、ブリッジ１２７，１２８を介して、増幅器１２９，１３０に入力され、その後、演算部１２４Ｅに入力される。演算部１２４Ｅは、入力された電圧に基づいて、シャフト２０２のうち、歪センサ１２５，１２６が装着された部分の歪み量を各々算出する。そして、各々の歪み量から合成歪み量を算出する。
【００６７】
センサ装置１００は、電池１３１をさらに含む。加速度センサ１２２，１２３および歪センサ１２５，１２６には、電池１３１から所定電圧の直流電力が供給されている。電源スイッチ１１２は、電池１３１からの電力供給のＯＮ／ＯＦＦを切替可能である。
【００６８】
次に、図１０を用いて、インパクト直前のヘッド速度を検出するときの具体的フローを説明する。ヘッド速度を検出する際は、まず、センサ装置１００をゴルフクラブ２００の所定の位置に装着し、センサ装置１００の電源スイッチ１１２をＯＮとする（Ｓ１）。さらに、リセットボタン１１３を押して、処理部１２４および表示部１１１を初期状態に戻す（Ｓ２）。これにより、たとえば、表示部１１１に前回測定時のヘッド速度が表示されている場合に、センサ装置１００は、新たなヘッド速度を測定可能な状態となる。
【００６９】
次に、ボールを配置した状態で、ゴルファが、ゴルフクラブ２００を把持してスイングの準備が完了する（Ｓ３）。
【００７０】
そして、センサ装置１００が装着されたゴルフクラブ２００をゴルファがスイングする（Ｓ４）。ここで、電源スイッチ１１２はＯＮ状態であるため、加速度センサ１２２，１２３には電力が供給され、各装着位置における加速度に対応する出力が演算部１２４Ｃに出力される。演算部１２４Ｃは、加速度センサ１２２，１２３から入力される電圧（信号）に基づいて、加速度センサ１２２，１２３が各々装着された位置における加速度を算出する（Ｓ５）。
【００７１】
演算部１２４Ｃは、加速度センサ１２２，１２３からの出力に基づいて算出した各加速度が、いずれも、所定の時間内に所定以上変動した時刻をインパクト時刻として検出する（Ｓ６）。
【００７２】
インパクト時刻においては、ヘッド２０３とゴルフボールとが衝突し、ヘッド２０３の加速度が急激に変動する。このため、加速度センサ１２２，１２３からの出力をフィルタを通して算出された加速度に基づいて、インパクト時刻を特定することができる。
【００７３】
演算部１２４Ｃは、インパクト直前における加速度データをA／D変換（アナログ→ディジタル）する（Ｓ７）。そして、変換されたデータが、メモリ１２４に正常にラッチ（保持）されたかを確認する（Ｓ８）。演算部１２４Ｃは、ラッチされた加速度データに基づいて、仮想速度Ｖｈを算出する。その後、この仮想速度Ｖｈに基づいて、ヘッド速度Ｖを算出する。そして、算出したヘッド速度Ｖを表示部１１１に表示する（Ｓ９）。
【００７４】
再度スイングする際には、リセットボタン１１３が押されることで、センサ装置１００は、再度、新たなヘッド速度を算出可能な状態となる（Ｓ１０）。その一方で、ヘッド速度の算出を終了する際には、電源スイッチ１１２をＯＦＦとする（Ｓ１１）。これにより、ヘッド速度の算出が終了する。
【００７５】
以上のようにして、インパクト直前のヘッド速度を高精度に算出することができる。また、ヘッド速度を算出することで、インパクト直前の回転角速度ωも算出することができる。
【００７６】
（回転中心からグリップエンドまでの距離の測定）
上述のとおり、図３中のｒ１を算出することができる。そして、算出されたｒ１および加速度センサ１２３の装着位置の情報からｒ０を算出することができる。
【００７７】
ここで、上記手順で算出されたｒ０の値（算出値）と、ハイスピードカメラ撮影によって測定した実測値との相関関係を算出しておき、算出値を実測値に一致または近似させるための補正関数を予め算出しておく。そして、計測対象のゴルファがスイングしたときに、上記ｒ０の算出値を、予め求めた補正関数で補正する。これにより、実測値に近似されたｒ０を算出することが可能である。
【００７８】
（スイングテンポの測定）
上述したとおり、演算部１２４Ｅは、歪センサ１２５，１２６からの出力電圧に基づいて、シャフト２０２の合成歪み量を算出する。シャフト２０２の合成歪み量は、トップオブスイング近傍において最大となる。この合成歪み量の最大値（以下、「最大合成歪み量」と言う。）は、「スイングテンポ」を示す一指標となる。
【００７９】
演算部１２４Ｅは、算出した「最大合成歪み量」を、ウッド用のセンサ装置１００においては、たとえば表１に示す基準に従って１０段階に分類し、アイアン用のセンサ装置１００においては、たとえば表２に示す基準に従って１０段階に分類し、その分類結果をメモリ１２４Ｅに出力する。
【００８０】
【表１】
0005451815.tif 000006
【００８１】
【表２】
0005451815.tif 000007
【００８２】
メモリ１２４Ｅは、上記分類結果を記憶する。メモリ１２４Ｅに記憶された分類結果は、図示されない表示切替部の操作によって、表示部１１１に表示される。この分類結果に基づいて、各々のゴルファのスイングテンポを判断することができる。具体的には、スイングテンポの速いゴルファほど、「最大合成歪み量」が大きくなる傾向にあるため、表示部１１１に示される数値が大きいほど、スイングテンポが速いということになる。
【００８３】
（トウダウン量の測定）
演算部１２４Ｅは、飛球方向と直交する方向（図７中のＹ方向）に面する側面上に貼付された歪センサ１２６からの出力結果に基づいて、トウダウン方向（インパクト直前にヘッド２０３のトウ部が下がる方向）の歪み量を算出することが可能である。トウダウン方向の歪み量は、インパクト直前に最大となる。この歪み量の最大値（以下、「トウダウン歪み最大値」と言う。）は、「トウダウン量」を示す一指標となる。
【００８４】
演算部１２４Ｅは、算出した「トウダウン歪み最大値」を、たとえば表３に示す基準に従って１０段階に分類し、その分類結果をメモリ１２４Ｅに出力する。
【００８５】
【表３】
0005451815.tif 000008
【００８６】
メモリ１２４Ｅは、上記分類結果を記憶する。メモリ１２４Ｅに記憶された分類結果は、図示されない表示切替部の操作によって、表示部１１１に表示される。この分類結果に基づいて、各々のゴルファのトウダウン量を判断することができる。具体的には、トウダウン量の大きいゴルファほど、「トウダウン歪み最大値」が大きくなる傾向にあるため、表示部１１１に示される数値が大きいほど、トウダウン量が大きいということになる。
【実施例】
【００８７】
次に、本発明の実施例について説明する。以下に説明する実施例は、ドライバーの最適長さを選定するものであるが、本発明の範囲はドライバーの最適長さを選定するものに限定されず、ウッド型およびアイアン型のゴルフクラブの任意の番手の最適長さを選定するものに適用可能である。
【００８８】
本実施例では、１７名（Ａ〜Ｑ）のゴルファに各々６本のゴルフクラブを用いて試打をさせている。上記６本のゴルフクラブの長さは、各々異なる（４５．０インチ、４５．１インチ、４５．８８インチ、４５．７５インチ、４６．６インチおよび４６．５インチ）。
【００８９】
上述した方法により、各々のゴルファのインパクト直前（1/100秒前）の仮想速度Ｖｈ、回転角速度ωおよび回転中心からグリップエンドまでの距離ｒ０を求めた結果を表４に示す。表４に示す数値は、平均的な長さ（本実施例では４５．７５インチ）のゴルフクラブについての値を示す。
【００９０】
【表４】
0005451815.tif 000009
【００９１】
また、上記１７名のゴルファについて、インパクト直前の回転中心からグリップエンドまでの距離ｒ０を求めた結果を図１１に示す。
【００９２】
さらに、弾道測定器を用いて、各々のゴルファの打球の弾道を解析した。その結果を、表５に示す。表５に示す数値は、試打を行なった６本のゴルフクラブについての値の平均を示す。
【００９３】
【表５】
0005451815.tif 000010
【００９４】
（官能評価結果に基づく回帰分析）
本実施例では、各々のゴルファに、６本のゴルフクラブについて、各々官能評価（振りやすさの評価）をさせた。官能評価は、各々のゴルファが、各々のゴルフクラブに対して、１０点満点で１点、２点、３点…と点数を付けることによって行なった。この官能評価の結果を用いて、数５に示す式から、各々のゴルファについて、最適長さを算出するためのパラメータｙ１（以下、「長さ中央値」と言う。）を算出した（算出結果は、後述の表６を参照）。
【００９５】
【数５】
0005451815.tif 000011
【００９６】
短いクラブの官能評価が高い場合には、上記「長さ中央値」は小さくなり、長いクラブの官能評価が高い場合には、上記「長さ中央値」は大きくなる。数５において、「官能評価値」を７乗しているが、この値は、適宜変更可能である。「７乗」を「１乗」にした場合、上記「長さ中央値」は、確率分布で言う「中央値」に相当するものとなるが、上記のように「７乗」とすることで、各々のゴルファの官能評価の結果が「長さ中央値」に反映されやすくなる。
【００９７】
さらに、数６を用いて、上記「長さ中央値」をゴルフクラブ長さに当てはまるように、正規化することにより、各々のゴルファに最適なゴルフクラブ長さを算出することが可能である。
【００９８】
【数６】
0005451815.tif 000012
【００９９】
このようにして、各々のゴルファの官能評価結果に基づいて、各々のゴルファに適した推奨ゴルフクラブ長さを算出することが可能である。しかし、上述の手法では、複数（本実施例では６本）のゴルフクラブを用いて試打を繰り返さなければならない。
【０１００】
本願発明者は、鋭意検討の結果、インパクト直前の回転中心からグリップエンドまでの距離ｒ０と、ゴルファの身長Ｈと、ゴルファのスイングテンポＴとが、上記「長さ中央値」に対して特に相関が高いことを見出した。
【０１０１】
そこで、本願発明者は、上記知見に基づき、上記距離ｒ０、身長ＨおよびスイングテンポＴを各々説明変数として、上記官能評価の結果を用いた重回帰分析を行なった。この結果算出された回帰式を、数７に示す。
【０１０２】
【数７】
0005451815.tif 000013
【０１０３】
数７の式を用いることにより、平均的な長さ（本実施例では４５．７５インチ）のゴルフクラブを用いた試打により求められた距離ｒ０およびスイングテンポＴと、別途測定した身長Ｈとに基づいて、上記「長さ中央値」を簡単に算出することができる。この算出結果を、表６に示す。なお、表６に示す距離ｒ０およびスイングテンポＴは、複数回（表６の例では２回だが回数はこれに限定されない）の測定の平均値を示している。
【０１０４】
【表６】
0005451815.tif 000014
【０１０５】
さらに、上記の重回帰式によって算出された「長さ中央値」に基づく、各々のゴルファ別の推奨ゴルフクラブ長さを図１２に示す。
【０１０６】
（実打試験結果に基づく回帰分析）
本実施例では、上述の実打試験結果に基づき、各々のゴルファについて、ゴルフクラブが１インチ伸びたときの飛距離の伸びｙ２（以下、「飛距離up係数」と言う。）を算出した（算出結果は、後述の表７を参照）。
【０１０７】
さらに、数８を用いて、上記「飛距離up係数」をゴルフクラブ長さに当てはまるように、正規化することにより、各々のゴルファに最適なゴルフクラブ長さを算出することが可能である。
【０１０８】
【数８】
0005451815.tif 000015
【０１０９】
このようにして、各々のゴルファの試打試験結果に基づいて、各々のゴルファに適した推奨ゴルフクラブ長さを算出することが可能である。しかし、上述の手法では、複数（本実施例では６本）のゴルフクラブを用いて試打を繰り返さなければならない。
【０１１０】
本願発明者は、鋭意検討の結果、インパクト直前の回転中心からグリップエンドまでの距離ｒ０と、ゴルファが普段使用しているゴルフクラブ長さＬ０と、ゴルファのスイングにおけるトウダウン量ＴＤとが、上記「飛距離up係数」に対して特に相関が高いことを見出した。
【０１１１】
そこで、本願発明者は、上記知見に基づき、上記距離ｒ０、ゴルフクラブ長さＬ０およびトウダウン量ＴＤを各々説明変数として、上記官能評価の結果を用いた重回帰分析を行なった。この結果算出された回帰式を、数９に示す。
【０１１２】
【数９】
0005451815.tif 000016
【０１１３】
数９の式を用いることにより、平均的な長さ（本実施例では４５．７５インチ）のゴルフクラブを用いた試打により求められた距離ｒ０およびトウダウン量ＴＤと、情報を別途採取したゴルフクラブ長さＬ０とに基づいて、上記「飛距離up係数」を簡単に算出することができる。この算出結果を、表７に示す。
【０１１４】
【表７】
0005451815.tif 000017
【０１１５】
さらに、上記の重回帰式によって算出された「飛距離up係数」に基づく、各々のゴルファ別の推奨ゴルフクラブ長さを図１３に示す。
【０１１６】
（官能評価結果に基づく回帰分析と実打試験結果に基づく回帰分析との組み合わせ）
本実施例では、上述のとおり、２つのアプローチによって、各々のゴルファに適したゴルフクラブ長さを選定可能である。この２つのアプローチによって各々得られた結果を組み合わせることで、各々のゴルファに適したゴルフクラブ長さを、より精度よく算出することが可能となる。
【０１１７】
本実施例では、官能評価結果に基づく回帰分析により求めた重回帰式によって算出された推奨ゴルフクラブ長さ（図１２）と、実打試験結果に基づく回帰分析により求めた重回帰式によって算出された推奨ゴルフクラブ長さ（図１３）とをの平均値を、各々のゴルファに適したゴルフクラブ長さとして算出した。この算出結果を、図１４に示す。
【０１１８】
ところで、ヘッドスピードが速い上級者に対しては、推奨ゴルフクラブ長さが長くなる傾向にある。しかし、実際には、ヘッドスピードが速い上級者は、ドライバーであれば４５インチ程度の短めのゴルフクラブを使う傾向にある。
【０１１９】
その理由として、上級者の場合、ヘッドスピードが速いので、打球の落下点の左右ばらつきが大きくなりやすいことが挙げられる。上級者の場合、スコア優先で、よりシビアに左右のばらつきを小さくするため、長いゴルフクラブを使いたくないと推測される。
【０１２０】
また、スイングのばらつきが大きい人も、打球の落下点の左右ばらつきが大きくなるので、長いゴルフクラブを推奨するのは不適切な場合がある。
【０１２１】
このため、ヘッドスピードや、スイングのばらつき、あるいはその両方に基づいて、推奨ゴルフクラブ長さを補正するようにしてもよい。
【０１２２】
具体的には、数１０の式を用いて、ヘッドスピードを考慮した推奨ゴルフクラブ長さの補正を行なうことができる。また、数１１の式を用いて、スイングばらつきを考慮した推奨ゴルフクラブ長さの補正を行なうことができる。さらに、数１２の式を用いて、ヘッドスピードおよびスイングばらつきの双方を考慮した推奨ゴルフクラブ長さの補正を行なうことができる。
【０１２３】
なお、スイングばらつきによる補正は、少なくとも３回の試打結果に基づいて補正を行なえばよい。また、数１０ないし数１２において、換算の係数は、換算の度合いをコントロールする係数であり、必要に応じて適宜設定すればよい。
【０１２４】
【数１０】
0005451815.tif 000018
【０１２５】
【数１１】
0005451815.tif 000019
【０１２６】
【数１２】
0005451815.tif 000020
【０１２７】
表８は、補正前のゴルフクラブ長さと、上述した各補正後の推奨ゴルフクラブ長さを示しており、さらに、図１５、図１６および図１７は、補正前の推奨ゴルフクラブ長さと、上記各補正後のゴルフクラブ長さの関係をグラフに表したものである。
【０１２８】
【表８】
0005451815.tif 000021
【０１２９】
（重回帰式の妥当性）
数７、数９に示す重回帰式の妥当性は、図１８，図１９に示されるとおりである。すなわち、数７の重回帰式の決定係数Ｒ2は０．５７であり、数８の重回帰式の決定係数Ｒ2は０．４６である。本実施例に係る重回帰式では、比較的高い決定係数が得られており、本願発明者が鋭意検討の結果得られた上述の知見の妥当性が示されている。
【０１３０】
（変形例）
本発明は、上述した実施例に限定されない。たとえば、図２０に示すように、インパクト直前の回転中心からグリップエンドまでの距離ｒ０と、ゴルフクラブが１インチ伸びたときの飛距離の伸びｙ２（「飛距離up係数」）との間には、一定の相関関係があり、距離ｒ０のみに基づいて、推奨ゴルフクラブ長さを算出することも可能である。
【０１３１】
具体的には、インパクト直前の回転中心からグリップエンドまでの距離ｒ０が大きいゴルファは、長尺クラブを用いても飛距離の伸びが小さいか、または、長尺クラブを用いることで飛距離が減少するという相関関係が得られる。この傾向は、本願発明者が鋭意検討の結果得られたものである。
【０１３２】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【０１３３】
１  入力装置、２  記憶装置、３  処理装置、４  出力装置、１００  センサ装置、１１０  ケース、１１１  表示部、１１２  電源スイッチ、１１３  リセットボタン、１１４  上部ケーシング、１１５  下部ケーシング、１１６，１１７  挿入孔、１１８  緩衝部材、１１９  バンド、１２０  基板支持部、１２０Ａ  湾曲部、１２０Ｂ  平坦部、１２１  基板、１２１Ａ，１２１Ｂ  主表面、１２２，１２３  加速度センサ、１２４  処理部、１２５，１２６  歪センサ、１２７，１２８  ブリッジ、１２９，１３０  増幅器、１３１  電池、２００  ゴルフクラブ、２０１  グリップ、２０２  シャフト、２０３  ヘッド。
【図１】
0005451815.tif 000022
【図２】
0005451815.tif 000023
【図３】
0005451815.tif 000024
【図４】
0005451815.tif 000025
【図５】
0005451815.tif 000026
【図６】
0005451815.tif 000027
【図７】
0005451815.tif 000028
【図８】
0005451815.tif 000029
【図９】
0005451815.tif 000030
【図１０】
0005451815.tif 000031
【図１１】
0005451815.tif 000032
【図１２】
0005451815.tif 000033
【図１３】
0005451815.tif 000034
【図１４】
0005451815.tif 000035
【図１５】
0005451815.tif 000036
【図１６】
0005451815.tif 000037
【図１７】
0005451815.tif 000038
【図１８】
0005451815.tif 000039
【図１９】
0005451815.tif 000040
【図２０】
0005451815.tif 000041